(57)【特許請求の範囲】
【請求項１】
導電性ケース内に誘電体柱を配設した誘電体共振器にアース板をろう付接合した誘電体共振器装置であって、前記アース板には負荷のかかる部分に湾曲した形状の撓み塑性変形部が設けられ、前記撓み塑性変形部が交差する部分に穴を設けたことを特徴とする誘電体共振器装置。
【請求項２】
導電性ケース内に誘電体柱を配設した誘電体共振器同士を互いにろう付接合するアース板を有した誘電体共振器装置であって、前記アース板は湾曲した形状の撓み塑性変形部を有しており、前記撓み塑性変形部が交差する部分に穴を設けたことを特徴とする誘電体共振器装置。
【請求項３】
前記導電性ケースは開口部を有しており、前記導電性ケースの開口部が同一平面上になるように複数の誘電体共振器を配置し、複数の湾曲した形状の撓み塑性変形部が交差する部分に穴を設けたアース板を前記開口部を覆うようにろう付接合したことを特徴とする請求項１または請求項２に記載の誘電体共振器装置。
【発明の詳細な説明】
【０００１】
【発明の属する技術分野】
本発明は、アース板をろう付接合した誘電体共振器装置に関する。
【０００２】
【従来の技術】
図５に示すものは、誘電体共振器装置Ａである。これは一定の距離を保って金属ケース７内に配置された複数個の誘電体共振器３、４、等をアース板５によって電気的に接合させて多段に構成されたものである。
【０００３】
誘電体共振器３、４、等は、導電性を有するキャビティケース１内に一本の内部誘電体２を配置したものである。キャビティケース１は、前後で開口した角筒状のセラミック本体の外表面に銀ペーストを塗布および焼き付けすることによって実電流路となる導電膜を形成して構成されている。内部誘電体２は、酸化チタン系等の高誘電率の誘電体セラミックによって形成されており、上端及び下端がキャビティケース１の内壁面に固定されている。
【０００４】
アース板５は誘電体共振器３、４、等を接続し、弾性を有する金属薄板から構成されており、中央部に断面円弧状に湾曲した撓み塑性変形部６がアース板５の全幅にわたって設けられている。アース板５に負荷が加わると、撓み塑性変形部６が容易に弾性変形し、負荷を緩和する構造になっている。
【０００５】
このような誘電体共振器装置Ａでは、隣り合う誘電体共振器３、４、等の間に磁界結合が生じることにより、所望の共振器特性が得られるように構成されている。
【０００６】
【発明が解決しようとする課題】
しかし、従来の誘電体共振器装置のアース板には、次のような問題点があった。
【０００７】
すなわち、一列に誘電体共振器３、４、等を配置する場合には、撓み塑性変形部６が容易に弾性変形して負荷を緩和することができるが、複数列に配置すると撓み塑性変形部が交差してしまい、交差部分で負荷を緩和することができなかった。
【０００８】
また、図６に示すような、キャビティケース５０の一部に窓１５を有した誘電体共振器１０にアース板を半田付してキャビティケース５０の導通をとる場合にも、誘電体セラミックスからなるキャビティケース５０と金属からなるアース板との線膨張差による熱応力が発生し、半田付接合部や誘電体共振器１０の角部分５０ａに負荷がかかり破損するという問題があった。そのため、負荷を緩和する方法として、従来のように撓み塑性変形部による緩衝部を設けたアース板２０を取り付けると図７のようになる。ところが、誘電体共振器を複数列に配置した場合と同様に、前記撓み塑性変形部の交差する部分３０においても緩衝性が損なわれてしまい、半田付用の切り欠き４０を設けた半田付部分に負荷がかかってしまう。つまり、従来技術では同時に直交２軸方向に働く熱応力に対して有効ではなかった。
【０００９】
そこで本願発明においては、誘電体共振器に接合されているアース板と誘電体共振器との線膨張差により発生する直交２軸方向に働く熱応力を緩和し、半田等のろう付接合部分の剥離や誘電体共振器の破損を防止する構造を有する誘電体共振器装置を提供することにある。
【００１０】
【課題を解決するための手段】
本発明の誘電体共振器装置では、導電性ケース内に誘電体柱を配設した誘電体共振器にアース板をろう付接合した誘電体共振器装置であって、前記アース板には負荷のかかる部分に湾曲した形状の撓み塑性変形部が設けられ、前記撓み塑性変形部が交差する部分に穴を設けている。
【００１１】
また、導電性ケース内に誘電体柱を配設した誘電体共振器同士を互いにろう付接合するアース板を有した誘電体共振器装置であって、前記アース板は湾曲した形状の撓み塑性変形部を有しており、前記撓み塑性変形部が交差する部分に穴を設けている。
【００１２】
さらに、前記導電性ケースは開口部を有しており、前記導電性ケースの開口部が同一平面上になるように複数の複数の誘電体共振器を配置し、複数の湾曲した形状の撓み塑性変形部が交差する部分に穴を設けたアース板を前記開口部を覆うようにろう付接合している。
【００１３】
これにより共振器に接合されているアース板と共振器との線膨張差により発生する直交２軸方向に働く熱応力を緩和することができる。
【００１４】
【発明の実施の形態】
以下図を用いて本発明の誘電体共振器を説明する。なお、従来と同じ部分には同じ符号を付し詳細な説明は省略する。
【００１５】
図１に示すものは、第１の実施例を示し、キャビティケース５０を有する誘電体共振器１０と誘電体共振器１０に半田付接合されたアース板２０の一部拡大図である。アース板２０には撓み塑性変形部３０ａ及び撓み塑性変形部３０ｂが交差するように形成されている。また、アース板２０の外周部に沿って半田付用の切欠部４０が複数個設けられている。図１のように撓み塑性変形部の交差する部分３０に穴３０ｃを設ける。温度変化によってアース板２０及び誘電体共振器１０に熱応力が働く場合、撓み塑性変形部３０ａ、３０ｂの交差する部分３０の穴３０ｃがアース板２０の撓み塑性変形部３０ａ、３０ｂの伸縮変形を容易にして、直交２軸方向に働く熱応力を同時に緩和させる。従ってアース板２０及び誘電体共振器１０には負荷がかからない。
【００１６】
次に、本願発明における第２の実施例を図２を用いて説明する。図２において、誘電体共振器１１を複数個並べて接続し、隣り合った誘電体共振器１１同士を撓み塑性変形部３０ｅ、３０ｆを有するアース板２１を用いて半田付接合している。撓み塑性変形部３０ｅ、３０ｆは、誘電体共振器１１間に対応するように形成されており、交差部分には穴３０ｄが形成されている。例えば、各誘電体共振器１１を金属ケース内に組み込んだ際の位置ずれにより、あるいは温度変化に伴う熱膨張等により、誘電体共振器１１間の間隔が広がった場合には、湾曲した形状を有する撓み塑性変形部３０ｅ、３０ｆが広がって誘電体共振器１１にかかる負荷を吸収し、アース板２１とキャビティケース５０の表面との半田付部分に破損が発生するのを防止する。逆に、誘電体共振器１１間の距離が縮まった場合にも、湾曲した形状を有する撓み塑性変形部３０ｅ、３０ｆが狭まって負荷を吸収し、この場合にもアース板２１とキャビティケース５０の表面との半田付部分に破損が発生するのを防止する。さらに誘電体共振器１１間が伸縮する際に、撓み塑性変形部３０ｅ、３０ｆの交差部に設けられた穴３０ｄは負荷の緩和を促す。
【００１７】
図３は本願発明における第３の実施例を示し、誘電体共振器１１およびアース板３１を上面から見た図である。
【００１８】
複数の誘電体共振器１１にアース板３１が半田付接合されている。アース板３１の撓み塑性変形部３０ａ、３０ｂは１個の誘電体共振器１１上で交差しており、交差部分には穴３０ｃが形成されている。また、アース板３１の撓み塑性変形部３０ｅ、３０ｆは、誘電体共振器１１同士の間で交差しており、交差部分には穴３０ｄが形成されている。さらに、撓み塑性変形部３０ａ、３０ｆの交差部分及び、撓み塑性変形部３０ｂ、３０ｅの交差部分にも穴３０ｄが形成されている。このように設けた穴及び撓み塑性変形部によって誘電体共振器装置全体の熱応力を緩和させることができる。
【００１９】
図４は図３の変形例を示し、誘電体共振器１１およびアース板４１を上面から見た図である。図４において、アース板４１には、１個の誘電体共振器１１上で交差する撓み塑性変形部３０ａ、３０ｂが形成され、その交差部部には穴３０ｃが形成されている。またアース板４１には、各誘電体共振器１１を取り囲むように撓み塑性変形部３０ｅ、３０ｆが形成され、その交差する部分には穴３０ｄが形成されている。この例は、前記実施例に比べて誘電体共振器１１間の熱応力のかかる部分に対して、より効果的に応力を緩和するものである。この時、撓み塑性変形部３０ｅ、３０ｆは、撓み塑性変形部３０ａ、３０ｂと交差しないように形成されている。
【００２０】
【発明の効果】
本発明によれば、誘電体共振器にろう付接合されているアース板と共振器のキャビティケースとの線膨張差により発生する直交２軸方向に働く熱応力を撓み塑性変形部の交差部によって緩和することができる。
【００２１】
従って、アース板とキャビティケースの表面との半田付部分に大きな負荷が発生して、破損することを防止することができる。
【図面の簡単な説明】
【図１】本発明の第１の実施例にかかる誘電体共振器とアース板を示す拡大詳細図である。
【図２】本発明の第２の実施例にかかる誘電体共振器とアース板を示す部分切取図である。
【図３】本発明の第３の実施例にかかる誘電体共振器およびアース板の上面図である。
【図４】本発明の第４の実施例にかかる誘電体共振器およびアース板の上面図である。
【図５】従来の誘電体共振器装置を示す部分透視図である。
【図６】従来の誘電体共振器を示す斜視図である。
【図７】従来の誘電体共振器とアース板を示す拡大詳細図である。
【符号の簡単な説明】
Ａ  誘電体共振器装置
１  キャビティケース
２  内部誘電体
３、４  誘電体共振器
５  アース板
６  撓み塑性変形部
７  金属ケース
１０、１１  誘電体共振器
１５  窓
２０、２１、３１、４１  アース板
２５  開口部
３０  撓み塑性変形部の交差部
３０ａ、３０ｂ、３０ｅ、３０ｆ  撓み塑性変形部
３０ｃ、３０ｄ  穴
４０  切欠部
５０  キャビティケース
５０ａ  角部分
【図１】
0003627436.tif 000002
【図２】
0003627436.tif 000003
【図３】
0003627436.tif 000004
【図４】
0003627436.tif 000005
【図５】
0003627436.tif 000006
【図６】
0003627436.tif 000007
【図７】
0003627436.tif 000008